(57)【要約】【課題】  単管足場にも容易に取付け可能な単管足場用屋根構造を提供する。【解決手段】  単管足場の縦支柱２に対して該縦支柱２の径方向に開閉して当該縦支柱２を把持して固着可能なクランプ部１１０と、このクランプ部１１０に固定された基台部１０４と、該基台部１０４に対して傾斜して配置され、屋根となるシート部材１２０を設置する際の支持骨となる傾斜部材１２０と、を備え、傾斜部材１２０の途中には、縦支柱２側に向かって延在すると共に、取付時、縦支柱２の表面に当接することにより傾斜部材１０２を支える支持棒１０６を備える。【選択図】図２
2020180468.tif 000002
【特許請求の範囲】
【請求項１】
単管足場の縦支柱に対して該縦支柱の径方向に開閉して当該縦支柱を把持して固着可能なクランプ部と、
当該クランプ部に固定された基台部と、
該基台部に対して傾斜して配置され、屋根となるシート部材を設置する際の支持骨となる傾斜部材と、を備える
ことを特徴とする単管足場用屋根構造のフレーム。
【請求項２】
請求項１において、
前記傾斜部材の途中には、前記縦支柱側に向かって延在すると共に、取付時、前記縦支柱の表面に当接することにより前記傾斜部材を支える支持棒が備わる
ことを特徴とする単管足場用屋根構造のフレーム。
【請求項３】
請求項１又は２において、
前記傾斜部材は、前記基台部に対して傾斜角度を変位して所望の角度で固定可能とされている
ことを特徴とする単管足場用屋根構造のフレーム。
【請求項４】
請求項１〜３のいずれかに記載の単管足場用屋根構造のフレームを複数設置し、これら複数の単管足場用屋根構造のフレームを繋ぐように前記シート部材が備わる
ことを特徴とする単管足場用屋根構造。
【発明の詳細な説明】
【技術分野】
【０００１】
本発明は、足場に関し、特に詳しくは、建物と足場の隙間等を塞ぐための屋根構造に関するものである。
【背景技術】
【０００２】
従来から、建物と足場の間に生じる隙間上部を覆うような屋根構造に関する発明は多数存在する。
【０００３】
例えば、特許文献１においては、建物に近い側の足場支柱と建物から離れた足場支柱の両方に架設することによって屋根を傾斜して設置する足場用屋根が開示されている。
【先行技術文献】
【特許文献】
【０００４】
【特許文献１】実開平６−７４７４０号公報
【発明の概要】
【発明が解決しようとする課題】
【０００５】
しかしながら、特許文献１に記載の足場用屋根は、建物に近い側の足場支柱と建物から離れた側の足場支柱の両方に屋根を固定するためのブラケットを取り付けるスペースが必要となり、更に、そのスペースの位置は屋根の傾斜によって制限を受けるため現実的には取り付ける場所の確保が困難という問題があった。
【０００６】
特に、単管で構成される足場にはそもそも取り付ける事が不可能である。
【０００７】
こういった問題点を解決するべく、本発明は、単管足場の縦支柱に対して該縦支柱の径方向に開閉して当該縦支柱を把持して固着可能なクランプ部と、当該クランプ部に固定された基台部と、該基台部に対して傾斜して配置され、屋根となるシート部材を設置する際の支持骨となる傾斜部材と、を備えることを特徴とする。
【０００８】
このようにクランプ部を利用したシンプルな構成を採用することによって、単管足場であっても容易に取り付けることを可能としている。また、クランプ部は、縦支柱の径方向に開閉する構造であるから、縦支柱の径が変わっても何ら問題なく取り付ける事ができる。
【０００９】
また、前記傾斜部材の途中には、前記縦支柱側に向かって延在すると共に、取付時、前記縦支柱の表面に当接することにより前記傾斜部材を支える支持棒が備わるような構成を採用してもよい。
【００１０】
このような構成を採用すれば、傾斜部材を長くすることが可能となり、結果、雨除け乃至は日除けとなるシート部材の面積を広く確保することができる。
【００１１】
また、前記傾斜部材を、前記基台部に対して傾斜角度を変位して所望の角度で固定可能に構成してもよい。
【００１２】
例えば、基台部と傾斜部材をヒンジ等によって回動可能に構成すると共に、支持棒を伸縮自在の構造にするといった構成である。これにより、屋根の角度（シート部材の傾斜）を状況に応じて変更することが可能となる。
【００１３】
なお、上記の単管足場用屋根構造のフレームを複数設置し、これら複数の単管足場用屋根構造のフレームを繋ぐようにシート部材を架設することにより、単管足場用屋根構造となる。
【発明の効果】
【００１４】
本発明を適用することで、単管足場にも容易に取付け可能な屋根構造を提供することができる。
【図面の簡単な説明】
【００１５】
【図１】本発明の実施形態の一例である単管足場用屋根構造のフレームの概略構成図であって、（ａ）が側面図、（ｂ）が平面図である。
【図２】本発明の実施形態の一例である単管足場用屋根構造を単管足場に取り付けた状態ｂの一例を示した図である。
【発明を実施するための形態】
【００１６】
以下、添付図面を参照しつつ、本発明の実施形態の一例である単管足場用屋根構造フレーム１００を中心に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈単管足場用屋根構造のフレームの構成〉
図１及び図２に示しているように、本発明の実施形態の一例として示した単管足場屋根構造のフレーム１００は、単管足場の縦支柱２に対してこの縦支柱２の径方向に開閉して当該縦支柱２を所望の位置で把持して固着可能なクランプ部１１０と、このクランプ部に（例えば溶接して）固定された基台部１０４と、この基台部１０４に対して傾斜して配置され、屋根となるシート部材１２０を設置する際の支持骨となる傾斜部材１０２と、を有して構成される。符号１１２は、例えばネジ構造によってクランプ部１００の開閉状態を調整する締込調整部である。
【００１８】
また、傾斜部材１０２の途中下面側には、縦支柱２に向かって延在する支持棒１０６が備わり、更に当該支持棒１０６の先端には、縦支柱２の表面に接触する当接板１０７が取り付けられている。なお、この当接板１０７は、縦支柱２の表面形状に沿うような形状としてもよい。また、支持棒１０６は補強部１０８を介しても傾斜部材１０２と接続され、全体として高い強度を保てる構造となっている。
【００１９】
また、傾斜部材１０２の両端上部には、リング形状のシート部材固定輪１０３が設けられており、このシート部材固定輪１０３を利用してシート部材１２０を括り付けて固定する。
【００２０】
なお、屋根となるシート部材１２０は、例えば、四隅に紐やタイラップなどの締結部材を通すための穴を備え、全体が例えば矩形に構成されている。一定程度の防水性能と柔軟性、及び耐久性を備える限りにおいて、材質は特に問わない。布や樹脂製シートなど広く利用することができる。
【００２１】
〈単管足場用屋根構造のフレームの使い方〉
単管足場用屋根構造のフレーム１００の使用方法は極めて簡易である。図２に示しているように、組み上げた単管足場の縦支柱２の所望の位置に、直接クランプ部１１０で把持するように取り付ける。
【００２２】
この単管足場用屋根構造のフレーム１００を、図２のように複数並べるようにして縦支柱２に取り付け、それらを繋ぐようにシート部材１２０を架設すれば、単管足場用屋根構造が完成となる。
【００２３】
このようにクランプ部１１０を利用したシンプルな構成を採用することによって、単管足場であっても容易に取り付けることを可能としている。また、クランプ部１１０は、縦支柱２の径方向に開閉する構造であるから、縦支柱２の径が変わっても何ら問題なく取り付ける事ができる。
【００２４】
また、傾斜部材１０２の途中には、縦支柱２側に向かって延在すると共に、取付時、縦支柱２の表面に当接することにより傾斜部材１０２を支える支持棒１０６が備わるような構成を採用していた。
【００２５】
このような構成を採用していることから、傾斜部材１０２を長く構成することが可能となり、結果、雨除け乃至は日除けとなるシート部材１２０の面積を広く確保することができる。
【００２６】
また、傾斜部材１０２を、１０４基台部に対して傾斜角度を変位して所望の角度で固定可能に構成することも可能である。
【００２７】
例えば、基台部１０４と傾斜部材１０２をヒンジ等（図示していない）によって回動可能に構成すると共に、支持棒１０６と傾斜部材１０２もヒンジ等で連結し、更に、支持棒１０６を伸縮自在の構造にするといった構成である。このように構成すれば、屋根の角度（シート部材１２０の傾斜）を状況に応じて変更することが可能となる。
【符号の説明】
【００２８】
２・・・縦支柱
１００・・・単管足場用屋根構造のフレーム
１０２・・・傾斜部材
１０３・・・シート部材固定輪
１０４・・・基台部
１０６・・・支持棒
１０７・・・当接板
１０８・・・補強部
１１０・・・クランプ部
１１２・・・締込調整部
【図１】
2020180468.tif 000003
【図２】
2020180468.tif 000004